(57)【要約】【課題】電子部品の回転を簡単に抑制可能な電子部品付きコネクタを提供することを目的とする。【解決手段】ホルダ２０と、円柱状の電子部品本体６１と電子部品本体６１の軸方向の一端面６１Ａから軸方向に突出するリード線６２とを有する電子部品６０と、ホルダ２０に形成され、電子部品本体６１の軸方向に電子部品６０が挿入される挿入口３９を有して電子部品本体６１を保持する電子部品保持部３５と、リード線６２と接続される端子４０と、を備えており、リード線６２の突出端部に電子部品本体６１の外周面よりも径方向外側に突出する突出部６４が形成されており、電子部品保持部３５は、電子部品本体６１を収容する本体収容部３６と、本体収容部３６に連通して電子部品本体６１の径方向の外側に位置して、かつ、電子部品保持部３５の挿入口３９から挿入方向奥側に向かって、突出部６４の周方向への動きを抑制しつつガイドするガイド部３７とを有している。【選択図】図７
2014241189.tif 000002
【特許請求の範囲】
【請求項１】
ホルダと、
円柱状の電子部品本体と該電子部品本体の軸方向の一端面から前記軸方向に突出するリード線とを有する電子部品と、
前記ホルダに形成され、前記電子部品本体の軸方向に前記電子部品が挿入される挿入口を有して前記電子部品本体を保持する電子部品保持部と、
前記リード線と接続される端子と、を備えており、
前記リード線の突出端部に前記電子部品本体の外周面よりも径方向外側に突出する突出部が形成されており、
前記電子部品保持部は、前記電子部品本体を収容する本体収容部と、該本体収容部に連通して前記電子部品本体の径方向の外側に位置して、かつ、前記電子部品保持部の挿入口から挿入方向奥側に向かって、前記突出部の周方向への動きを抑制しつつガイドするガイド部とを有している電子部品付きコネクタ。
【請求項２】
前記電子部品保持部は挿入方向の前後方向が開口した中空の円筒形状をなしており、
前記ガイド部は円筒形状の前記電子部品保持部の一部に溝を形成することで形成されており、
前記リード線には、前記電子部品本体の前記一端から前記軸方向に突出した後に、その端部が前記径方向の外側に向けてクランク状に形成されることで前記突出部が形成される請求項１に記載の電子部品付きコネクタ。
【請求項３】
前記ホルダは、前記端子を保持可能な端子保持部を備えており、
前記端子保持部と前記電子部品保持部は、前記端子と前記リード線とが溶接可能な空間を残しつつ連結されている請求項１または請求項２に記載の電子部品付きコネクタ。
【発明の詳細な説明】
【技術分野】
【０００１】
本発明は、電子部品付きコネクタに関する。
【背景技術】
【０００２】
従来、例えば自動車等に搭載された電気・電子機器等のノイズを除去するためのコネクタとして、コンデンサ等の電子部品が組み込まれた電子部品付きコネクタが知られている。コンデンサのリード線を端子と接続する際に、リード線を所定位置に誘い込むようにコネクタに挿入する。この際に、コンデンサは一般的に円筒形状をなしているため、回り止めが必要となる。そこで、特許文献１のように、コンデンサ保持部の奥壁に、リード線を挿通させるための挿通孔を形成する技術が知られている。
【先行技術文献】
【特許文献】
【０００３】
【特許文献１】特開２０１３−３８０５１号公報
【発明の概要】
【発明が解決しようとする課題】
【０００４】
しかしながら、上記のようなコネクタでは、コンデンサ保持部に奥壁を形成し、そこに孔を形成するために、金型の形状が複雑になり、コスト高になる。また、奥壁に孔が形成されているため、コンデンサ保持部の手前で回転してしまうと、リード線が奥壁に当接してしまったり、奥壁に設けられた孔を狙って挿入するために、リード線の位置合わせが困難になってしまったりする。
本発明は上記のような事情に基づいて完成されたものであって、電子部品の回転を簡単に抑制可能な電子部品付きコネクタを提供することを目的とする。
【課題を解決するための手段】
【０００５】
本発明の電子部品付きコネクタは、ホルダと、円柱状の電子部品本体と該電子部品本体の軸方向の一端面から前記軸方向に突出するリード線とを有する電子部品と、前記ホルダに形成され、前記電子部品本体の軸方向に前記電子部品が挿入される挿入口を有して前記電子部品本体を保持する電子部品保持部と、前記リード線と接続される端子と、を備えており、前記リード線の突出端部に前記電子部品本体の外周面よりも径方向外側に突出する突出部が形成されており、前記電子部品保持部は、前記電子部品本体を収容する本体収容部と、該本体収容部に連通して前記電子部品本体の径方向の外側に位置して、かつ、前記電子部品保持部の挿入口から挿入方向奥側に向かって、前記突出部の周方向への動きを抑制しつつガイドするガイド部とを有していることに特徴を有する。
【０００６】
このような構成によると、リード線の突出端部（リード線を挿入する方向の先端部）に、電子部品本体の径方向の外周面よりも外側に突出している突出部を形成したから、電子部品を電子部品保持部に挿入する際に、まず突出端部を電子部品保持部の挿入口に挿入することになる。その際に、突出部はガイド部に挿入され、ガイド部によってその周方向への動きを抑制されることで、挿入時の電子部品の回転を防止することができる。また、ガイド部と突出部の位置合わせを、挿入口で行うことができるため、位置合わせが容易になる。さらに、リード線がガイド部によって所定位置に配されることから、リード線が電子部品保持部と突き当たることも防止することができる。
【０００７】
本発明の電子部品付きコネクタの実施の態様として、以下の構成としてもよい。
前記電子部品保持部は挿入方向の前後方向が開口した中空の円筒形状をなしており、前記ガイド部は円筒形状の前記電子部品保持部の一部に溝を形成することで形成されており、前記リード線には、前記電子部品本体の前記一端から前記軸方向に突出した後に、その端部が前記径方向の外側に向けてクランク状に形成されることで前記突出部が形成される構成としても良い。
このような構成では、電子部品保持部の円筒形状の一部から溝が突出する形状となり、比較的形成が容易となる。その溝部に対して、電子部品本体の近傍で外側にクランクしたリード線が、挿入されることで、周方向への移動が、溝部によって抑制される。また、電子部品本体の近傍でリード線がクランクすることで、リード線の長さのほぼ全長が突出部となり、電子部品を挿入する際にガイド部によってガイドされるリード線部分が長くなる。
【０００８】
前記ホルダは、前記端子を保持可能な端子保持部を備えており、前記端子保持部と前記電子部品保持部は、前記端子と前記リード線とが溶接可能な空間を残しつつ連結されている構成としても良い。
このような構成では、ホルダの端子保持部によって端子が保持されることになるので、リード線と端子を溶接作業する際に、ホルダが両部材を保持していることから、作業性の向上を図ることができる。
【発明の効果】
【０００９】
本発明によれば、電子部品の回転を簡単に抑制可能な電子部品付きコネクタを提供することができる。
【図面の簡単な説明】
【００１０】
【図１】本発明の一実施形態に係る電子部品付きコネクタの分解斜視図
【図２】ハウジングの正面図
【図３】ハウジングの平面図
【図４】ホルダの正面図
【図５】ホルダの平面図
【図６】ホルダの背面図
【図７】図４のvii−vii位置における断面図で示したホルダにコンデンサを組み付ける前の状態を示した図
【図８】ホルダに端子金具とコンデンサを組み付けた状態を示した斜視図
【図９】ホルダに端子金具とコンデンサを組み付けた状態を示した正面図
【図１０】ホルダに端子金具とコンデンサを組み付けた状態を示した平面図
【図１１】ホルダに端子金具とコンデンサを組み付けた状態を示した側面図
【図１２】ホルダに端子金具とコンデンサを組み付けた状態を示した背面図
【図１３】電子部品付きコネクタの斜視図
【図１４】電子部品付きコネクタの正面図
【図１５】図１４のxv−xv位置における一部切欠き断面図
【発明を実施するための形態】
【００１１】
＜実施形態＞
以下、本発明の一実施形態を図１ないし図１５に基づいて説明する。
本実施形態における電子部品付きコネクタ（以後、単にコネクタＣと称する）は、自動車等に搭載された電気・電子機器等のノイズを除去するためのコネクタである。コネクタＣは、一方向のみに開口した袋状のハウジング１０と、ハウジング１０内に収容されるホルダ２０と、ホルダ２０に保持されるバスバー片４０と、ホルダ２０に保持されるコンデンサ６０とから構成されている。また、このコネクタＣは、自動車などに搭載された電気・電子機器などから導出される図示しない複数の電線を一括して接続するジョイントコネクタである。このコネクタＣは、正極側および負極側の２つのバスバー片４０を有し、この正負のバスバー片４０の間に、コンデンサ６０が介設されている。このコネクタＣは、相手側コネクタ８０（図１５参照）と嵌合可能とされている。以下、各構成部材において、コネクタＣにおける相手側コネクタ８０との嵌合面側を前側、その反対側を後側とし、また、上下左右方向については図２を基準として説明する。
【００１２】
ハウジング１０は合成樹脂製であって、図１に示すように、前方からホルダ２０を内部に挿入可能な挿入口１１を有している。ハウジング１０は、前方から、挿入口１１を構成するとともに相手側コネクタ８０（図１５参照）と嵌合するフード部１３と、ホルダ２０の中間部３１を収容するホルダ収容部１８と、コンデンサ６０を収容するコンデンサ収容部１９とから形成されている。そして、フード部１３とホルダ収容部１８とコンデンサ収容部１９とが、一体に形成され、全体として挿入口１１を有する３段形状の袋状となっている。ハウジング１０の構造の詳細については後述する。
【００１３】
バスバー片４０は、図１に示すように、金属等の導電性の板材を打ち抜いて、曲げ加工等を施すことで成形されている。バスバー片４０は、相手側コネクタ８０（図１５参照）に保持された雌端子金具に接続される複数の端子部４１と、これらを櫛歯状に連結する帯状連結部４３と、コンデンサ６０に接続される電子部品接続部４５とを有している。
【００１４】
各端子部４１はタブ状をなし、帯状連結部４３の前端面に一定のピッチで並んで５本ずつ突設されている。電子部品接続部４５は、帯状連結部４３のうち端子部４１とは反対の端面（後端面）に形成され、帯状連結部４３から略直角方向に延出している。
各帯状連結部４３の左右方向の長さは、図１０に示すように、後述するホルダ２０のバスバー片保持部２１の幅方向（左右方向）の長さよりも長くなっている。そのため、バスバー片４０をホルダ２０に組み付けた際に、各帯状連結部４３が、バスバー片保持部２１の左右両端部から突出した状態となる。
【００１５】
正負の一対のバスバー片４０は、図８に示すように、ホルダ２０の厚さ方向（高さ方向）に上下２段に並べて配置されている。なお、下段側に配置されたバスバー片４０を第１バスバー片（第１の導電部材）４０Ａ、上段側に配置されたバスバー片４０を第２バスバー片（第２の導電部材）４０Ｂと称する。
【００１６】
第１バスバー片４０Ａの電子部品接続部（第１電子部品接続部４５Ａと称する）と、第２バスバー片４０Ｂの電子部品接続部（第２電子部品接続部４５Ｂと称する）とは、組み付けられた際に、図１０に示すように、ホルダ２０の幅方向に一定の間隔をあけて配置されている。
【００１７】
第２電子部品接続部４５Ｂは、図１に示すように、その帯状連結部（第２帯状連結部４３Ｂと称する）のうち左右方向（ホルダ２０の幅方向）の中心よりも左側に偏心した位置から後方に突出しており、その突出した部分が後述するコンデンサ６０のリード線６２と溶接される第２溶接部４８Ｂを構成している。また、第２電子部品接続部４５Ｂは、第２溶接部４８Ｂを含むその全長にわたり段差がない平坦なものとされる。第２電子部品接続部４５Ｂは、第２帯状連結部４３Ｂとも段差がないため、第２バスバー片４０Ｂ全体が平坦なものとされている。なお、第２電子部品接続部４５Ｂの幅寸法は後述する第２圧入部５３を除き全長にわたり略同一とされている。
【００１８】
第２電子部品接続部４５Ｂには、第２圧入部５３が形成されている。第２圧入部５３は、前方に向かって幅が広がるように形成されているため、後述する第２接続部挿通孔２４（図７参照）に圧入されるにつれて、樹脂に食い込む部分が大きくなる。すなわち、第２電子部品接続部４５Ｂの左右両側に設けられた一対の第２圧入部５３を合わせることで楔形状の圧入部が構成されている。第２圧入部５３は、図１５に示すように、バスバー片保持部２１の前後方向の長さの略中央に係止することで、所定位置に配された第２バスバー片４０Ｂを抜け止めしてホルダ２０に保持する役割を果たす。
【００１９】
第１電子部品接続部４５Ａは、図１に示すように、その帯状連結部（第１帯状連結部４３Ａと称する）のうち左右方向の中心よりも右側に偏心した位置から後方に突出して、その突出した部分が、後述するコンデンサ６０のリード線６２と溶接される第１溶接部４８Ａを構成している。第１電子部品接続部４５Ａは、その先端にある第１溶接部４８Ａが第２電子部品接続部４５Ｂと略同一高さに配されるべく、長さ方向（前後方向）の途中の位置において２度直角曲げされている。すなわち第１電子部品接続部４５Ａは、その長さ方向の途中の位置において上方に屈曲された後、第２電子部品接続部４５Ｂと同一高さの位置において、さらに後方に屈曲されている。また、第１電子部品接続部４５Ａの第１溶接部４８Ａは、屈曲された部分よりも若干幅広形状となっている。
【００２０】
第１バスバー片４０Ａには、図１に示すように、後述するホルダ２０のバスバー片保持部２１に対して、後方に押し込まれることで、ホルダ２０に形成されたホルダ圧入孔２６（図４参照）に圧入される第１圧入部５１が備えられている。第１圧入部５１は、第１帯状連結部４３Ａから第１電子部品接続部４５Ａと同じ側に突出して設けられ、すなわち端子部４１とは第１帯状連結部４３Ａを挟んで反対側に突出して設けられている。第１圧入部５１の長さ寸法は、バスバー片保持部２１の前後方向の長さ寸法よりも短くなっている。また、その先端側は、楔形状となっている。
【００２１】
また、各バスバー片４０には、図１及び図１５に示すように、ハウジング１０に対して、後方に押し込まれることで、後述するハウジング１０に形成されたハウジング圧入穴１６に圧入されるハウジング圧入部５５が備えられている。ハウジング圧入部５５は、帯状連結部４３から電子部品接続部４５と同じ側に突出して設けられ、すなわち端子部４１とは反対側に突出して設けられている。ハウジング圧入部５５の長さ寸法は、第１圧入部５１の長さ寸法と略同一とされており、その先端側は、楔形状となっている。また、ハウジング圧入部５５は、各バスバー片４０に一対ずつ備えられている。一対のハウジング圧入部５５は、帯状連結部４３の左右方向の両端部に位置している。ハウジング圧入部５５は、ホルダ２０にバスバー片４０が組み付けられた場合に、バスバー片保持部２１から左右両側に突出して配される。
【００２２】
コンデンサ６０は、図７に示すように、アルミ電解コンデンサであって、円柱形状をなすコンデンサ本体６１と、その前端面６１Ａから導出された正負一対のリード線６２とを備えている。リード線６２は丸ピン形状をなし、コンデンサ本体６１の前端面６１Ａから略垂直方向（コンデンサ本体６１の軸方向）に突出したのちに、その端部がコンデンサ本体６１の外周面よりも径方向外側に向かって、クランク状に形成されたのちに、コンデンサ本体６１の外周面よりも外側で、前方に向かって延伸することで、延伸部分が突出部６４を形成している。言い換えると、リード線６２はコンデンサ本体６１の前端面６１Ａから突出するとすぐに、径方向外側に向かって曲げられ、リード線６２の外側の幅Ｗ１が、コンデンサ本体６１の外周面の幅（外径）Ｗ２よりも大きくなったところで、再度前方に向かって曲げられることで、コンデンサ本体６１の外周面よりも径方向外側に突出した突出部６４となっている。この一対のリード線６２は、組み付けられると、バスバー片４０の電子部品接続部４５の上側に配され、抵抗溶接によって電子部品接続部４５に接続される。
【００２３】
次に、ホルダ２０の構造について、説明する。
ホルダ２０は合成樹脂製であって、図８に示すように、全体として前後方向に細長い形状をなし、その前端側にバスバー片４０を保持するバスバー片保持部２１が形成され、後端側にコンデンサ６０を保持する電子部品保持部３５が形成されている。そして、ホルダ２０のうちバスバー片保持部２１と電子部品保持部３５との間に形成された中間部３１において、バスバー片４０とコンデンサ６０との接続がなされる。なお、電子部品保持部３５は、ホルダ２０の幅方向（左右方向）の略中央に位置している。
【００２４】
バスバー片保持部２１は、図８に示すように、ホルダ２０の幅方向に長い略方形のブロック状をなしている。バスバー片保持部２１には、図４に示すように、バスバー片４０の帯状連結部４３が装着される装着溝２２が形成されている。装着溝２２は、前方に開口された左右方向（幅方向）に長い溝であり、前方及び左右方向（幅方向）の３方向に開口した溝であり、バスバー片４０の帯状連結部４３が前方から装着可能とされている。バスバー片４０は、組み付けられた際に、図１５に示すように、装着溝２２の奥面（後面）に、帯状連結部４３の後端面が当接して後止まりがなされる。また、装着溝２２はバスバー片保持部２１に上下２段平行に形成されている。
【００２５】
上段の装着溝２２の奥面には、図７に示すように、第２バスバー片４０Ｂの第２電子部品接続部４５Ｂを挿通可能な第２接続部挿通孔２４が貫通形成されている。第２電子部品接続部４５Ｂは、装着溝２２の前方から挿入されて、第２接続部挿通孔２４を挿通して、中間部３１に突出する。なお、第２接続部挿通孔２４の幅は第２電子部品接続部４５Ｂの幅と略同一とされている。
【００２６】
バスバー片保持部２１には、図４に示すように、上段の装着溝２２と下段の装着溝２２を上下方向に連通させる差入孔２５が形成されている。差入孔２５は、第１バスバー片４０Ａの第１電子部品接続部４５Ａの屈曲した部分を差し入れることを可能としており、差入孔２５の幅寸法は、第１電子部品接続部４５Ａの屈曲した部分の幅寸法よりも若干大きい寸法とされている。また、上段の装着溝２２の奥面には、図７に示すように、第１電子部品接続部４５Ａの第１溶接部４８Ａを挿通可能な第１接続部挿通孔２３が貫通形成されている。第１電子部品接続部４５Ａの第１溶接部４８Ａは、図８に示すように、上段の装着溝２２の前方から挿入されて、第１接続部挿通孔２３を挿通して、中間部３１に突出する。その際に、屈曲した部分が差入孔２５に差し入れられる。なお、第１接続部挿通孔２３の幅寸法は、差入孔２５の幅寸法より大きく、第１電子部品接続部４５Ａの第１溶接部４８Ａが挿通可能な幅とされている。
【００２７】
また、下段の装着溝２２の奥面には、図４に示すように、第１バスバー片４０Ａの第１圧入部５１に対応する位置に、ホルダ圧入孔２６が形成されている。ホルダ圧入孔２６は、バスバー片保持部２１の幅方向（左右方向）の略中央に形成され、バスバー片保持部２１の後側へ貫通している。
【００２８】
中間部３１は、図５および図７に示すように、幅方向に対向状態をなすように設けられた一対の側壁部３２と、これらの側壁部３２を連結する中間連結部３３と、リード線６２を下方から支持するリード線支持部３４とを有している。一対の側壁部３２は、互いに略平行をなして対向し、その前端が、バスバー片保持部２１に連結されている。中間連結部３３は、側壁部３２の後端部を連結するように設けられており、後述するスペーサ部３８の下部と一体に成形されることで、電子部品保持部３５と連結されている。また、中間連結部３３の前端には、コンデンサ６０のリード線６２を支持するリード線支持部３４が設けられている。リード線支持部３４は、中間連結部３３から前方に片持ち状に突出し、上下方向に弾性変形可能とされている。中間部３１においては、一対の側壁部３２とバスバー片保持部２１と電子部品保持部３５とに囲まれた空間が、上下方向に開口しており、電子部品保持部３５とリード線６２を抵抗溶接するための電極（図示せず）を配置できるようになっている。
【００２９】
電子部品保持部３５は、内側にコンデンサ本体６１を収容する略円筒形状の筒状部３６と、リード線６２の突出部６４をガイドする回転規制溝３７と、コンデンサ６０のリード線６２間に配されるスペーサ部３８とを有している。筒状部３６は、軸方向が前後方向になるように形成されるとともに、その後端側はコンデンサ６０を挿入可能なコンデンサ挿入口３９として、後方全体が開口しており、後方からコンデンサ６０を収容可能とされている。また、前端側もリード線６２を挿通可能にするために開口している。筒状部３６の上面部の一部は、前方に延出しており、この延出した部分から下方に突出して中間連結部３３と連結される柱状のスペーサ部３８が設けられている。スペーサ部３８は、リード線６２同士の接触を防ぎ、かつコンデンサ本体６１が規定位置より前方に動くことを防ぐ。
【００３０】
回転規制溝３７は、図６及び図７に示すように、筒状部３６の高さ方向の略中央部分の左右両側を一部切欠いた部分に連なって形成されている。つまり、筒状部３６の形成するコンデンサ本体６１を収容する空間と連通して、筒状部３６の径方向外側（収容されたコンデンサ本体６１の径方向外側）に位置している。回転規制溝３７は、リード線支持部３４の上面と、回転規制溝３７の下端の高さ位置が略同一となっている。また、回転規制溝３７は、筒状部３６の前後方向（奥行方向）の全長に亘って形成されており、その内部の幅Ｗ３は、突出部６４の外側の幅Ｗ１より若干大きくなっている。リード線６２を挿入する際に左右に若干のぶれがあっても大丈夫なように、若干の余裕をもたせている。リード線６２の突出部６４を電子部品保持部３５に挿入し前方に向かって差し込む際に、突出部６４が回転規制溝３７に挿入されることで、突出部６４が上下方向（周方向）に移動するのを抑制しつつガイドする。なお、回転規制溝３７及び筒状部３６は、コンデンサ６０を挿入しやすいように、その後端部分が、径方向外側に向かってテーパ状をなしている。
【００３１】
続いて、ハウジング１０の構造について説明する。
図３及び図１５に示すように、フード部１３の嵌合底面１４から後方に凹設するように、コンデンサ収容部１９が形成されている。また、嵌合底面１４には、コンデンサ収容部１９よりも大きく開口させて凹設することで、ホルダ収容部１８が形成されている。フード部１３とホルダ収容部１８の連結部には、バスバー片４０の帯状連結部４３の両端部を差し込むためのハウジング差込溝１５がホルダ収容部１８を挟んで左右両側に一対形成されている。さらに、ハウジング差込溝１５のそれぞれに、ハウジング差込溝１５の後面から後方に延びて凹設したハウジング圧入穴１６が形成されており、ハウジング圧入部５５を圧入可能とされている。
【００３２】
ホルダ収容部１８は、ホルダ２０の中間部３１（図５参照）を収容可能としており、その大きさはホルダ２０の中間部３１をがたつきなく収容可能な大きさとなっている。
コンデンサ収容部１９は、図１５に示すように、ホルダ２０の電子部品保持部３５を収容可能としている。コンデンサ収容部１９の長さは電子部品保持部３５を所定位置に収容しても、コンデンサ本体６１の後方に空間が設けられるゆとりのある長さとされている。
【００３３】
本実施形態は以上のような構成であって、続いてその取付方法について図１、図７及び図１５を用いて説明する。
まず、第１バスバー片４０Ａをホルダ２０に取り付ける。第１帯状連結部４３Ａが下段の装着溝２２に、第１電子部品接続部４５Ａの屈曲した部分が差入孔２５に、第１電子部品接続部４５Ａの幅広部分が上段の装着溝２２（第１接続部挿通孔２３の前方）に位置するようにして、第１電子部品接続部４５Ａから第１バスバー片４０Ａを後方に押し込む。すると、第１圧入部５１が下段の装着溝２２のホルダ圧入孔２６に圧入され、第１電子部品接続部４５Ａの第１溶接部４８Ａが中間部３１の中空部分に突出してくる。そして、第１帯状連結部４３Ａの後端面が、下段の装着溝２２の奥面に突き当たると、第１バスバー片４０Ａの押し込みが停止される。なお、第１電子部品接続部４５Ａが差入孔２５や第１接続部挿通孔２３に挿入される際には、圧入はされておらず、第１圧入部５１のみが圧入されている。こうして、第１バスバー片４０Ａは、第１圧入部５１がホルダ圧入孔２６の内周面に食い込むことにより、バスバー片保持部２１に保持される。
【００３４】
次に、第２バスバー片４０Ｂをホルダ２０に取り付ける。第２帯状連結部４３Ｂが上段の装着溝２２に、第２電子部品接続部４５Ｂが第２接続部挿通孔２４の前方に位置するようにして、第２電子部品接続部４５Ｂから第２バスバー片４０Ｂを後方に押し込む。すると、第２電子部品接続部４５Ｂの第２圧入部５３が第２接続部挿通孔２４に圧入され、第２電子部品接続部４５Ｂの先端部分が中間部３１の中空部分に突出してくる。そして、第２帯状連結部４３Ｂの後端面が、上段の装着溝２２の奥面に突き当たると、第２バスバー片４０Ｂの押し込みが停止される。こうして、第２バスバー片４０Ｂは、第２圧入部５３が第２接続部挿通孔２４の内面に食い込むことにより、バスバー片保持部２１に保持される。
このように、バスバー片４０がホルダ２０に取り付けられると、ハウジング圧入部５５と帯状連結部４３の左右両端部は、バスバー片保持部２１から左右両側に突出している。
【００３５】
バスバー片４０が取り付けられると、コンデンサ６０が電子部品保持部３５に取り付けられる。コンデンサ６０は、筒状部３６のコンデンサ挿入口３９からリード線６２を前方に挿入され、左右それぞれのリード線６２の突出部６４が左右それぞれの回転規制溝３７に挿入される。リード線６２は、突出部６４が回転規制溝３７に上下方向（周方向）への動きを抑制されながら、ガイドされて挿入される。リード線６２の先端が回転規制溝３７の前方から出てくると、リード線支持部３４によって下方から支持されて、電子部品接続部４５の溶接部４８よりも下方に配されないようにされる。コンデンサ本体６１の前端面６１Ａが、スペーサ部３８の後端に当接する位置までくると、コンデンサ６０は挿入を停止される。コンデンサ６０の挿入を停止する際には、リード線６２の突出部６４の全体が回転規制溝３７を挿通しており、それぞれのリード線６２が電子部品接続部４５の溶接部４８（第１溶接部４８Ａ及び第２溶接部４８Ｂ）に上方から当接する。コンデンサ６０が所定位置に取り付けられると、リード線６２の突出部６４と溶接部４８とが、上下一対の抵抗溶接用の電極に挟まれて抵抗溶接される。
【００３６】
続いて、バスバー片４０とコンデンサ６０が取り付けられたホルダ２０がハウジング１０に取り付けられる。挿入口１１からコンデンサ６０を先方にしてホルダ２０が挿入される。そして、バスバー片４０（帯状連結部４３）のホルダ２０から突出した端部が押されることで、バスバー片４０が押し込まれる。バスバー片４０のハウジング圧入部５５が、ハウジング圧入穴１６に圧入される。そして、帯状連結部４３のホルダ２０から突出した端部の後端面が、ハウジング差込溝１５の後面に突き当たり、押し込みが停止される。バスバー片４０の押し込みが停止すると、バスバー片４０とともにホルダ２０もハウジング１０内の所定の位置に配される。こうして、バスバー片４０は、ハウジング圧入部５５がハウジング圧入穴１６の内周面に食い込むことにより、ハウジング１０に保持される。また、バスバー片４０は、ホルダ２０も保持されているので、バスバー片４０を介して、ハウジング１０とホルダ２０とが固定される。
【００３７】
以上説明したように本実施形態では、リード線６２の突出端部（リード線を挿入する方向の先端部）に、コンデンサ本体６１の径方向の外周面よりも外側に突出している突出部６４を形成したから、コンデンサ６０を電子部品保持部３５に挿入する際に、まず、突出部６４先端から電子部品保持部３５のコンデンサ挿入口３９に挿入することになる。その際に、突出部６４は回転規制溝３７に挿入され、回転規制溝３７によってその周方向への動きを抑制されることで、挿入時のコンデンサ６０の回転を防止することができる。また、回転規制溝３７と突出部６４の位置合わせを、コンデンサ挿入口３９で行うことができるため、位置合わせが容易になる。さらに、リード線６２が回転規制溝３７によって所定位置に配されることから、リード線６２が電子部品保持部３５と突き当たることも防止することができる。
【００３８】
また本実施形態では、電子部品保持部３５は挿入方向の前後方向が開口した中空の円筒形状をなしており、回転規制溝３７は円筒形状の電子部品保持部３５の一部に溝を形成することで形成されており、リード線６２には、コンデンサ本体６１の前端面６１Ａから軸方向に突出した後に、その端部が径方向の外側に向けてクランク状に形成されることで突出部６４が形成される。このような構成では、電子部品保持部３５の円筒形状の一部から回転規制溝３７が突出する形状となり、比較的形成が容易となる。その溝部に対して、コンデンサ本体６１側の近傍で外側にクランクしたリード線６２が、挿入されることで、周方向への移動が、回転規制溝３７によって抑制される。また、リード線６２の長さ方向のほぼ全長が突出部６４を形成することで、コンデンサ６０を挿入する際に回転規制溝３７によってガイドされるリード線６２部分が長くなる。
【００３９】
さらに、本実施形態では、ホルダ２０は、バスバー片４０を保持可能なバスバー片保持部２１を備えており、バスバー片保持部２１と電子部品保持部３５は、バスバー片４０とリード線６２とが溶接可能な空間を残しつつ連結されている。このような構成では、ホルダ２０の端子部材保持部２１によってバスバー片４０が保持されることになるので、リード線６２とバスバー片を溶接作業する際に、ホルダ２０が両部材を保持していることから、作業性の向上を図ることができる。
【００４０】
＜他の実施形態＞
本発明は上記記述及び図面によって説明した実施形態に限定されるものではなく、例えば次のような実施形態も本発明の技術的範囲に含まれる。
（１）上記実施形態では、コンデンサ６０のリード線６２は丸ピン形状をなしているが、これに限らず、例えば、コンデンサのリード線は角柱状等であってもよい。
（２）上記実施形態では、電子部品がコンデンサ６０である場合について説明したが、これに限らず、円柱状で一端面からリード線が突出する形状であれば、例えば抵抗、ダイオード、トランジスタ等、各種の電子部品であってもよい。
【００４１】
（３）上記実施形態では、バスバー片４０がホルダ２０に保持されていたが、ホルダ２０に保持されていない状態で、電子部品と接続されるものでもよい。
（４）上記実施形態では、ハウジング１０を用いていたが、ハウジング１０が無くても良い。また、ホルダとハウジングが一体のコネクタであっても良い。
【００４２】
（５）上記実施形態では、ガイド部は、回転規制溝３７によって設けられていたが、周方向への動きを防止する面を有していれば他の形状であっても良い。例えば、電子部品保持部の円筒形状を複数に分割して、その分割面にリード線の突出部を通すようにしても良い。また、分割面の一部に切欠きを設けて、切欠き部分にリード線の突出部を通すようにしても良い。
（６）上記実施形態では、回転規制溝３７は、電子部品保持部３５の前後方向の全長に亘って設けられていたが、コンデンサ挿入口に設けてあって、リード線の突出部が挿通可能であれば、全長に設けてなくても良い。
【００４３】
（７）上記実施形態では、電子部品保持部３５（筒状部３６）は、前後方向に開口した円筒形状をなしていたが、前方に壁があっても良い。さらに、内周面が略円周となっていれば、電子部品保持部は他の形状であっても良い。
（８）上記実施形態では、リード線６２の突出部は、リード線６２のコンデンサ本体６１側の端部をクランク形状に折り曲げることで形成されていたが、挿入側を外側に折り曲げることで形成しても良いし、リード線の先端部分を外側に幅広にすることで形成しても良い。また、リード線のコンデンサ本体側の端部から斜め外側に向かって全体が斜めになるようにしても良い。
【符号の説明】
【００４４】
１０…ハウジング
１１…挿入口
１９…コンデンサ収容部
２０…ホルダ
２１…バスバー片保持部（端子保持部）
２２…装着溝
２３…第１接続部挿通孔
２４…第２接続部挿通孔
３１…中間部
３４…リード線支持部
３５…電子部品保持部
３６…筒状部（本体収容部）
３７…回転規制溝（ガイド部）
３８…スペーサ部
３９…コンデンサ挿入口（挿入口）
４０（４０Ａ、４０Ｂ）…バスバー片（端子）
４１…端子部
４３（４３Ａ、４３Ｂ）…帯状連結部
４５（４５Ａ、４５Ｂ）…電子部品接続部
４８…溶接部
６０…コンデンサ（電子部品）
６１…コンデンサ本体（電子部品本体）
６２…リード線
６４…突出部
Ｃ…電子部品付きコネクタ
【図１】
2014241189.tif 000003
【図２】
2014241189.tif 000004
【図３】
2014241189.tif 000005
【図４】
2014241189.tif 000006
【図５】
2014241189.tif 000007
【図６】
2014241189.tif 000008
【図７】
2014241189.tif 000009
【図８】
2014241189.tif 000010
【図９】
2014241189.tif 000011
【図１０】
2014241189.tif 000012
【図１１】
2014241189.tif 000013
【図１２】
2014241189.tif 000014
【図１３】
2014241189.tif 000015
【図１４】
2014241189.tif 000016
【図１５】
2014241189.tif 000017